【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
シリンジから対象動物に流体を注入する注入器であって、
駆動ラムの長手軸に沿って２方向に移動可能な駆動ラムと、
該駆動ラムに駆動可能に接続され、前記駆動ラムを前記長手軸に沿って選択的に前進及び後退させるモータと、
シリンジの本体と係合可能で、該シリンジを前記注入器に対して位置決めし、該駆動ラムを該シリンジのプランジャーと係合し該プランジャーを該シリンジの該本体に対して移動させるシリンジマウントとを備え、
前記シリンジマウントは、第１可動部材と第２可動部材を有し、
該第１可動部材は第１回動点の周りで回動可能であり、そして該第２可動部材は該第１回動点とは異なる第２回動点の周りで回動可能であり、
該第１可動部材と該第２可動部材との各々が、内部溝を備え、
該第１可動部材及び該第２可動部材は、互いに向かいまた離れるように回動可能で、これにより第１可動部材及び該第２可動部材は、該シリンジマウントが該シリンジの該本体と係合していない第１位置又は該シリンジマウントが該シリンジの該本体と係合している第２位置に位置するようにした注入器。
【請求項２】
前記第１可動部材及び第２可動部材は湾曲面を有する請求項１に記載の注入器。
【請求項３】
前記第１可動部材及び第２可動部材の各々は金属を含む請求項１又は２に記載の注入器。
【請求項４】
前記第１可動部材及び第２可動部材の各々の内部溝は、前記シリンジの前記本体の後端と一体である外方に延びるフランジに適合するように設計されている、請求項１〜３のいずれか１項に記載の注入器。
【請求項５】
前記シリンジは、前記第１可動部材及び前記第２可動部材が前記第１位置にある場合に、該シリンジを前記シリンジマウントから離して、前記駆動ラムの前記長手軸に対して実質的に垂直な方向に持ち上げることによって該シリンジマウントから取り外され得る、請求項１〜４のいずれか１項に記載の注入器。
【請求項６】
前記第１可動部材及び第２可動部材は、前記第２位置にあるときにお互いに向かって付勢される請求項１〜５のいずれか１項に記載の注入器。
【請求項７】
前記第１可動部材及び前記第２可動部材は、該第１可動部材と該第２可動部材の間で前記シリンジの前記本体の側壁を把持し、該シリンジを前記シリンジマウントに係合させる請求項１〜６のいずれか１項に記載の注入器。
【請求項８】
ハウジングをさらに備え、前記シリンジマウントは、前記ハウジングの外部に前記シリンジを装着するように適合されている請求項１〜７のいずれか１項に記載の注入器。
【請求項９】
センサをさらに備え、該センサは、前記シリンジの前記第１可動部材及び前記第２可動部材が前記第１位置にあるか前記第２位置にあるかを決定するためのものである、請求項１〜８のいずれか１項に記載の注入器。
【請求項１０】
コンソールをさらに備え、該コンソールは、前記センサと電気通信し、そして前記注入器に対する少なくとも１つのコンソール制御信号を生成するように適合されている、請求項９に記載の注入器。
【請求項１１】
前記シリンジマウントの前記第１可動部材及び前記第２可動部材が前記第２位置にあることを前記センサが決定する場合、前記少なくとも１つのコンソール信号が遮断される、請求項１０に記載の注入器。
【請求項１２】
前記少なくとも１つのコンソール制御信号のうちの第１信号は、前記駆動ラムを前記長手軸に沿って第１方向に移動させるように前記モータに信号を送り、そして該第１信号は、前記シリンジマウントの前記第１可動部材及び前記第２可動部材が前記第２位置にあることを前記センサが決定する場合、該モータに送達されることを防止される、請求項１０に記載の注入器。
【請求項１３】
前記センサは、前記シリンジマウントの前記第１可動部材及び前記第２可動部材についての位置情報を含む信号を前記コンソールに送達するように適合されている、請求項１０に記載の注入器。
【請求項１４】
前記第１可動部材及び前記第２可動部材が前記第１位置にあることを前記センサが決定する場合に、前記注入器に付随するソフトウェアが前記注入器の手動制御を可能にするように適合されている、請求項９〜１３のいずれか１項に記載の注入器。
【請求項１５】
前記注入器が携帯用注入器である、請求項１〜１４のいずれか１項に記載の注入器。
【請求項１６】
シリンジから対象動物に流体を注入する注入器において、
長手軸に沿って第１ラム方向と第２ラム方向の２方向に移動可能な駆動ラムと、
該駆動ラムに駆動可能に接続され、前記駆動ラムを前記長手軸に沿って選択的に前進及び後退させるモータと、
第１及び第２トリガー方向に変位するように移動可能で、前記モータに対する制御信号を生成するトリガーとからなり、
これにより、前記トリガーが前記第１トリガー方向に移動すると、前記駆動ラムは前記長手軸に沿って第１ラム方向に移動し、前記トリガー制御信号は前記トリガーから前記モータに無線で送信されるようにした注入器。
【請求項１７】
前記駆動ラムは、前記トリガーが前記第２トリガー方向に移動すると、前記第２ラム方向に移動する請求項１６に記載の注入器。
【請求項１８】
前記トリガー制御信号は前記トリガーから前記モータに磁石を介して無線で送信される請求項１６に記載の注入器。
【請求項１９】
前記トリガー制御信号を受信し、前記駆動ラムの操作を容易にするためのモータ制御信号を前記モータに送信する回路基板をさらに含む請求項１８に記載の注入器。
【請求項２０】
前記回路基板に機能的に接続され通信可能なトリガー信号センサをさらに有し、該センサは磁石又は磁界を検出するように適合されている請求項１９に記載の注入器。
【請求項２１】
前記モータ及び駆動ラムはさらに、可変速度で前記長手軸に沿って２方向に移動するように適合されている請求項１６に記載の注入器。
【請求項２２】
前記可変速度は第１速度から該第１速度より大きな第２速度まで変化し、前記可変速度は前記トリガーの変位の程度に依存する請求項２１に記載の注入器。
【請求項２３】
前記モータに機能的に接続された速度ロック装置をさらに有する請求項１６に記載の注入器。
【請求項２４】
前記速度ロック装置は第１及び第２位置に設置されるように適合されている請求項２３に記載の注入器。
【請求項２５】
前記モータ及び駆動ラムは、前記速度ロック装置が前記第１位置にあるときに、前記シリンジからの流体を前記トリガーの変位の程度に依存して可変流速で排出するように適合されている請求項２４に記載の注入器。
【請求項２６】
前記モータ及び駆動ラムは、前記速度ロック装置が前記第２位置にあるときに、前記シリンジからの流体を可変流速で排出するように適合されている請求項２４に記載の注入器。
【請求項２７】
シリンジから対象動物に流体を注入する携帯用注入器において、
ハウジングと、
長手軸に沿って２方向に移動可能な駆動ラムと、
該駆動ラムに駆動可能に接続され、前記駆動ラムを前記長手軸に沿って選択的に前進及び後退させるモータと、
加熱要素とからなり、
前記加熱要素は前記ハウジングの外側で前記注入器に機能的に接続された延長部をさらに有する携帯用注入器。
【請求項２８】
前記加熱要素はシリンジと相互作用するように適合され、前記シリンジの内容物の温度を直接的及び／又は間接的に変更する請求項２７に記載の注入器。
【請求項２９】
前記加熱要素はシリンジと相互作用するように適合され、前記シリンジの内容物の温度を直接的及び／又は間接的に維持する請求項２７に記載の注入器。
【請求項３０】
前記シリンジの内容物の温度は注入される対象の温度に近づくように上昇させる請求項２８に記載の注入器。
【請求項３１】
前記シリンジの内容物の温度は注入される対象の温度にほぼ維持される請求項２９に記載の注入器。
【請求項３２】
長手軸に沿って２方向に移動可能な駆動ラム、
該駆動ラムに駆動可能に接続され、前記駆動ラムを前記長手軸に沿って選択的に前進及び後退させるモータ、及び
シリンジを有し、該シリンジを前記注入器に対して位置決めし、シリンジ内のプランジャーを係合し移動させるようにシリンジと係合するシリンジマウントからなる注入器と、
加熱要素を有するハンガーとの組合せであって、
前記シリンジマウントに係合する如何なるシリンジも前記加熱要素と対向する関係にあるように、前記注入器は前記ハンガーに機能的に接続されている組合せ。
【請求項３３】
前記加熱要素はさらに、前記シリンジと対向する関係にある少なくとも部分的に円筒形状の延長部を有する請求項３２に記載の組合せ。
【請求項３４】
前記加熱要素はシリンジと相互作用するように適合され、前記シリンジの内容物の温度を直接的及び／又は間接的に変更する請求項３２に記載の組合せ。
【請求項３５】
前記加熱要素はシリンジと相互作用するように適合され、前記シリンジの内容物の温度を直接的及び／又は間接的に維持する請求項３２に記載の組合せ。
【請求項３６】
前記シリンジの内容物の温度は注入される対象の温度に近づくように上昇させる請求項３４に記載の組合せ。
【請求項３７】
前記シリンジの内容物の温度は注入される対象の温度にほぼ維持される請求項３５に記載の組合せ。
【請求項３８】
シリンジから対象動物に流体を注入する注入器において、
長手軸に沿って２方向に移動可能な駆動ラムと、
該駆動ラムに駆動可能に接続され、前記駆動ラムを前記長手軸に沿って選択的に前進及び後退させるモータと、
前記注入器によって生じる流量によって決定される限度を超えた圧力が注入中に発生するのを防止する制御回路とからなる注入器。
【請求項３９】
前記流体注入圧力が所定の限度を超えれば注入を終了させる停止回路をさらに有する請求項３８に記載の注入器。
【請求項４０】
前記停止回路は、前記流体注入圧力が所定期間、前記所定の限度を超えると前記注入を終了させる請求項３９に記載の注入器。
【請求項４１】
前記所定の限度は２５０ｐｓｉである請求項３９に記載の注入器。
【請求項４２】
前記流体注入圧力が所定の限度に達すると前記注入器によって生じる流量を低減する低減回路をさらに有する請求項３８に記載の注入器。
【請求項４３】
前記所定の限度は２５０ｐｓｉである請求項４２に記載の注入器。
【請求項４４】
注入工程中に注入器で生じる圧力を自動的に制限する方法において、
シリンジから対象動物に流体を注入する注入器であって、長手軸に沿って２方向に移動可能な駆動ラムと、該駆動ラムに駆動可能に接続され、前記駆動ラムを前記長手軸に沿って選択的に前進及び後退させるモータと、前記注入器によって生じる流量によって決定される限度を超えた圧力が注入中に発生するのを防止する制御回路とからなる注入器を準備し、
流体の内容物で満たされたシリンジを前記注入器に取り付け、
前記シリンジの内容物を施与するための流体流量を設定し、
前記シリンジの内容物を対象に施与することからなる方法。
【請求項４５】
前記注入工程中の圧力変化を決定することをさらに含む請求項４４に記載の方法。
【請求項４６】
前記決定された圧力変化を前記圧力限度と比較することをさらに含む請求項４５に記載の方法。
【請求項４７】
前記圧力変化が前記圧力限度を超えていれば前記注入工程を終了させることをさらに含む請求項４４に記載の方法。
【請求項４８】
前記圧力変化が所定時間、前記圧力限度を超えていれば前記注入工程を終了させることをさらに含む請求項４４に記載の方法。
【請求項４９】
シリンジから対象動物に流体を注入する注入器において、
ハウジングと、
長手軸に沿って２方向に移動可能な駆動ラムと、
該駆動ラムに駆動可能に接続され、前記駆動ラムを前記長手軸に沿って選択的に前進及び後退させるモータと、
前記ハウジング内に配置され、前記基端側の駆動ラムの第１端が前記注入器のハウジングの前端の末端側にある第１位置にあるか否かを決定する検出器とからなり、
前記検出器は、前記駆動ラムに配置された発信装置と協調して動作し、前記発信装置から発信される信号を検出する注入器。
【請求項５０】
前記発信装置は磁石である請求項４９に記載の注入器。
【請求項５１】
前記発信装置により発信される信号は磁界である請求項４９に記載の注入器。
【請求項５２】
前記注入器のハウジングに配置された少なくとも１つのセンサをさらに含む請求項４９に記載の注入器。
【請求項５３】
前記駆動ラムはその長手軸に沿って正又は逆方向に移動可能である請求項５２に記載の注入器。
【請求項５４】
前記駆動ラムは、前記検出器が前記駆動ラムに配置された発信装置から如何なる信号も検出しないとき、その長手軸に沿って第１速度で逆方向に移動可能である請求項５３に記載の注入器。
【請求項５５】
前記注入器は前記駆動ラムの前記第１位置に対応して較正された値を含む請求項５４に記載の注入器。
【請求項５６】
前記駆動ラムは、前記検出器が発信装置から信号を検出したが、該信号は前記較正値と等しくないとき、その長手軸に沿って第２速度で逆方向に移動可能である請求項５５に記載の注入器。
【請求項５７】
前記検出器は、該検出器が発信装置によって発信される信号を検出し、該信号が前記較正値と等しいとき、前記駆動ラムを前記第１位置で機能的に停止させる請求項５５に記載の注入器。
【請求項５８】
シリンジから対象動物に流体を注入する注入器において、
ハウジングと、
長手軸に沿って２方向に移動可能で、前記長手軸に垂直な第１形状の断面を有する駆動ラムと、
該駆動ラムに駆動可能に接続され、前記駆動ラムを前記長手軸に沿って選択的に前進及び後退させるモータと、
前記ハウジング内に配置された板と、
前記板を貫通して配設され、前記第１形状を有し、前記駆動ラムが貫通して配置されるオリフィスとからなり、
これにより前記第１形状は前記駆動ラムが前記長手軸の回りに回転するのを防止する注入器。
【請求項５９】
シリンジから対象動物に流体を注入する注入器において、
長手軸に沿って第１ラム方向と第２ラム方向の２方向に移動可能で、前記長手軸に垂直な第１形状の断面を有する駆動ラムと、
該駆動ラムに駆動可能に接続され、前記駆動ラムを前記長手軸に沿って選択的に前進及び後退させるモータと、
前記注入器に機能的に接続され、前記駆動ラムが前記長手軸に沿って第１ラム方向に移動するように前記モータに対するコンソール制御信号を生成するコンソールとからなり、
前記コンソール制御信号は前記コンソールから前記モータに遠隔的に供給される注入器。
【請求項６０】
前記駆動ラムは、第２コンソール制御信号が前記コンソールから前記モータに遠隔的に供給されたとき、前記第２ラム方向に移動する請求項５９に記載の注入器。